【手続補正書】
【提出日】平成17年10月3日(2005.10.3)
【手続補正１】
【補正対象書類名】明細書
【補正対象項目名】特許請求の範囲
【補正方法】変更
【補正の内容】
【特許請求の範囲】
【請求項１】
レーザ光源と該レーザ光源を発したレーザ光束を少なくとも３本の光束に分岐する光分岐手段と前記３本の光束を集光して光学的情報記録媒体の記録面上に各々独立した３個の集光スポットを照射する集光光学系と前記３個の集光スポットの前記光学的情報記録媒体からの反射光を各々２分割以上に分割された受光面で受光するように配置された光検出器とを具備した光ピックアップにおいて、
前記光分岐手段は第１及び第２及び第３の少なくとも３つの領域に分割され各領域内で所定の周期構造を備えた回折格子であって、
前記第１の領域は前記第２の領域と第３の領域の間に配置され、かつ前記第２の領域内では前記第１の領域内に備えられた周期構造の位相に対して略９０度異なる位相を有する周期構造を備えるとともに前記第３の領域内では前記第２の領域内に備えられた周期構造の位相に対して略１８０度異なる位相を有する周期構造を備えたことを特徴とする光ピックアップ。
【請求項２】
前記光学的情報記録媒体の記録面上に周期的に配置された案内溝に対して略直交する方向に関して前記３個の集光スポットを略ゼロもしくは前記案内溝周期の略整数倍の間隔で配置したことを特徴する請求項１記載の光ピックアップ。
【請求項３】
請求項１又は請求項２記載の光ピックアップを備え、かつ該光ピックアップ内に具備された前記光検出器の各受光面からの出力された信号に所定の演算処理を施すことにより、差動プッシュプル方式によるトラッキングエラー信号を検出する機能を備えたトラッキングエラー信号検出装置を少なくとも具備したことを特徴とする光学的情報再生装置。
【請求項４】
レーザ光源と該レーザ光源を発したレーザ光束を主光束と少なくとも２本以上の副光束に分岐する光分岐手段と前記主光束および副光束を集光して所定の間隔で周期的に案内溝を配置した光学的情報記録媒体の記録面上に各々独立した３個の集光スポットを照射する集光光学系と前記３個の集光スポットの前記光学的情報記録媒体からの反射光を各々２分割以上に分割された受光面で受光するように配置された光検出器とを具備した光ピックアップと、
該光ピックアップ内にある前記各受光面から出力された光電変換信号に所定の演算処理を施すことにより前記主光束および前記副光束各々に関するプッシュプル信号を生成するプッシュプル信号生成回路と、
前記複数本ある副光束の各々に関する前記プッシュプル信号のうち一部もしくは全部加算したのち所定の増幅率Ｋで増幅し、前記主光束に関するプッシュプル信号から減算することによって差動プッシュプル信号を生成する差動プッシュプル信号生成回路とを少なくとも備え、
かつ前記光学的情報記録媒体内に設けられた前記案内溝の配置間隔の違いに応じて前記増幅率Ｋを可変できるようにしたことを特徴とする光学的情報再生装置。
【請求項５】
レーザ光を出射するレーザ光源と、
前記レーザ光源から出射されたレーザ光を少なくとも３本の光束に分岐する回折格子と、
前記回折格子で分岐された３本の光束を光ディスクに集光する対物レンズと、
前記光ディスクからの反射光を受光する光検出器と、を備える光ピックアップにおいて、
前記回折格子は、所定の周期構造を備える第１の領域、第２の領域、第３の領域に分割され、
前記第１の領域は、前記第２の領域と前記第３の領域の間に配置されており、
前記第２の領域は、前記第１の領域の周期構造の位相に対してほぼ＋９０度異なる位相の周期構造を備え、
前記第３の領域は、前記第１の領域の周期構造の位相に対してほぼ−９０度異なる位相の周期構造を備えていることを特徴とする光ピックアップ。
【請求項６】
レーザ光を出射するレーザ光源と、
前記レーザ光源から出射されたレーザ光を少なくとも３本の光束に分岐する回折格子と、
前記回折格子で分岐された３本の光束を光ディスクに集光する対物レンズと、
前記光ディスクからの反射光を受光する光検出器と、を備える光ピックアップにおいて、
前記回折格子は、所定の周期構造を備える第１の領域、第２の領域、第３の領域に分割され、
前記第１の領域は、前記第２の領域と前記第３の領域の間に配置されており、
前記第２の領域及び前記第３の領域は、前記第１の領域の周期構造の位相に対してほぼ９０度異なる位相の周期構造を備え、
前記第２の領域及び前記第３の領域は、ほぼ１８０度異なる位相の周期構造を備えていることを特徴とする光ピックアップ。
【請求項７】
レーザ光を出射するレーザ光源と、
前記レーザ光源から出射されたレーザ光を少なくとも３本の光束に分岐する回折格子と、
前記回折格子で分岐された３本の光束を光ディスクに集光する対物レンズと、
前記光ディスクからの反射光を受光する光検出器と、を備える光ピックアップにおいて、
前記回折格子は、格子溝が刻まれた方向に対して直交する２本の分割線により第１の領域、第２の領域、第３の領域に分割されており、
前記２本の分割線に挟まれた領域を第１の領域とした場合に、前記第２の領域の格子溝の位相は、前記第１の領域の格子溝の位相に対してほぼ＋９０度異なる位相であり、前記第３の領域の格子溝の位相は、前記第１の領域の格子溝の位相に対してほぼ−９０度異なる位相であることを特徴とする光ピックアップ。
【請求項８】
レーザ光を出射するレーザ光源と、
前記レーザ光源から出射されたレーザ光を少なくとも３本の光束に分岐する回折格子と、
前記回折格子で分岐された３本の光束を光ディスクに集光する対物レンズと、
前記光ディスクからの反射光を受光する光検出器と、を備える光ピックアップにおいて、
前記回折格子は、格子溝が刻まれた方向に対して直交する２本の分割線により第１の領域、第２の領域、第３の領域に分割されており、
前記２本の分割線に挟まれた領域を第１の領域とした場合に、前記第２の領域と前記第３の領域の格子溝の位相は、前記第１の領域の格子溝の位相に対してほぼ９０度異なる位相であり、かつ、前記第２の領域及び前記第３の領域の格子溝の位相は、ほぼ１８０度異なる位相であることを特徴とする光ピックアップ。
【請求項９】
レーザ光を出射するレーザ光源と、
前記レーザ光源から出射されたレーザ光を少なくとも０次光、＋１次光、−１次光の３本の光束に分岐する回折格子と、
前記回折格子で分岐された３本の光束を光ディスクに集光する対物レンズと、
前記光ディスクからの反射光を受光する光検出器と、を備える光ピックアップにおいて、
前記回折格子は、格子溝が刻まれた方向に対して直交する２本の分割線により第１の領域、第２の領域、第３の領域に分割されており、
前記回折格子により分岐された＋１次光又は−１次光の波面は、通過した前記第１の領域、第２の領域、第３の領域に合わせて３段階にシフトした波面形状となることを特徴とする光ピックアップ。
【請求項１０】
請求項５から９のいずれか記載の光ピックアップにおいて、
前記回折格子で分岐された３本の光束は、前記光学的情報記録媒体の記録面に３個の光スポットとして照射され、
それぞれの光スポットの間隔は、前記記録面に形成された案内溝に直交する方向において、ほぼゼロ又は案内溝の幅のほぼ整数倍の間隔となることを特徴とする光ピックアップ。
【請求項１１】
請求項５から９のいずれか記載の光ピックアップにおいて、
前記回折格子の第１の領域の幅は、前記対物レンズの開口直径の１０％から４０％であることを特徴とする光ピックアップ。
【請求項１２】
請求項９記載の光ピックアップにおいて、
前記３段階のシフト量は、それぞれほぼ９０度であることを特徴とする光ピックアップ。
【請求項１３】
請求項５から１２のいずれか記載の光ピックアップと、
前記光ピックアップから出力された信号からトラッキングエラー信号を生成するトラッキングエラー信号生成部と、
を備えたことを特徴とする光学的情報再生装置。
【請求項１４】
請求項５から１２のいずれか記載の光ピックアップと、
前記光ピックアップから出力された信号から主光束及び副光束のそれぞれに関するプッシュプル信号を生成するプッシュプル信号生成部と、
前記副光束のそれぞれに関するプッシュプル信号を所定の増幅率で増幅し、前記主光束に関するプッシュプル信号から前記増幅した信号を減算することにより差動プッシュプル信号を生成する差動プッシュプル信号生成部と、を備えたことを特徴とする光学的情報再生装置。
【請求項１５】
請求項１３記載の光学的情報再生装置において、
前記増幅率は、前記光学的情報記録媒体の記録面の案内溝の間隔に応じて可変することを特徴とする光学的情報再生装置。
【請求項１６】
請求項１３記載の光学的情報再生装置において、
前記増幅率は、前記光学的情報記録媒体の種類に応じて可変することを特徴とする光学的情報再生装置。
【請求項１７】
光学的情報記録媒体にレーザ光を照射し、前記光学的情報記録媒体からの反射光を受光し、トラッキングエラー信号を生成するための信号を出力する光ピックアップに搭載される回折格子であって、
所定の周期構造を備える第１の領域、第２の領域、第３の領域を備え、
前記第１の領域は、前記第２の領域と前記第３の領域の間に配置されており、
前記第２の領域は、前記第１の領域の周期構造の位相に対してほぼ＋９０度異なる位相の周期構造を備え、
前記第３の領域は、前記第１の領域の周期構造の位相に対してほぼ−９０度異なる位相の周期構造を備えていることを特徴とする回折格子。
【請求項１８】
光学的情報記録媒体にレーザ光を照射し、前記光学的情報記録媒体からの反射光を受光し、トラッキングエラー信号を生成するための信号を出力する光ピックアップに搭載される回折格子であって、
格子溝が刻まれた方向に対して直交する２本の分割線により第１の領域、第２の領域、第３の領域に分割されており、
前記２本の分割線に挟まれた領域を第１の領域とした場合に、前記第２の領域の格子溝の位相は、前記第１の領域の格子溝の位相に対してほぼ＋９０度異なる位相であり、前記第３の領域の格子溝の位相は、前記第１の領域の格子溝の位相に対してほぼ−９０度異なる位相であることを特徴とする回折格子。
【請求項１９】
光学的情報記録媒体にレーザ光を照射し、前記光学的情報記録媒体からの反射光を受光し、トラッキングエラー信号を生成するための信号を出力する光ピックアップに搭載される回折格子であって、
格子溝が刻まれた方向に対して直交する２本の分割線により第１の領域、第２の領域、第３の領域に分割されており、
前記回折格子により分岐された光束の波面は、前記レーザ光が通過した前記第１の領域、第２の領域、第３の領域に合わせて３段階にシフトした波面形状となることを特徴とする回折格子。
【手続補正２】
【補正対象書類名】明細書
【補正対象項目名】００１９
【補正方法】変更
【補正の内容】
【００１９】
本発明は、以上のような状況に鑑み、高汎用性、高信頼性を備えた光ピックアップやそれを用いた光学的情報再生装置の実現を目的とする。
【手続補正３】
【補正対象書類名】明細書
【補正対象項目名】００２３
【補正方法】変更
【補正の内容】
【００２３】
さらに、光学的情報記録装置または再生装置として、レーザ光束を主光束と少なくとも２本以上の副光束に分岐し、複数本ある副光束の各々に関する前記プッシュプル信号のうち一部もしくは全部加算したのち所定の増幅率Ｋで増幅し、主光束に関するプッシュプル信号から減算することによって差動プッシュプル信号を生成する差動プッシュプル信号生成回路とを少なくとも備え、かつ前記光学的情報記録媒体内に設けられた前記案内溝の配置間隔の違いに応じて前記増幅率Ｋを可変とする構成とした。
また、本発明は、レーザ光を出射するレーザ光源と、前記レーザ光源から出射されたレーザ光を少なくとも３本の光束に分岐する回折格子と、前記回折格子で分岐された３本の光束を光ディスクに集光する対物レンズと、前記光ディスクからの反射光を受光する光検出器と、を備える光ピックアップであり、前記回折格子は、所定の周期構造を備える第１の領域、第２の領域、第３の領域に分割され、前記第１の領域は、前記第２の領域と前記第３の領域の間に配置されており、前記第２の領域は、前記第１の領域の周期構造の位相に対してほぼ＋９０度異なる位相の周期構造を備え、前記第３の領域は、前記第１の領域の周期構造の位相に対してほぼ−９０度異なる位相の周期構造を備えている。
また、本発明に係る光学的情報再生装置は、上記の光ピックアップと、光ピックアップから出力された信号からトラッキングエラー信号を生成するトラッキングエラー信号生成部と、を備える。
また、本発明は、光学的情報記録媒体にレーザ光を照射し、前記光学的情報記録媒体からの反射光を受光し、トラッキングエラー信号を生成するための信号を出力する光ピックアップに搭載される回折格子であり、所定の周期構造を備える第１の領域、第２の領域、第３の領域を備え、前記第１の領域は、前記第２の領域と前記第３の領域の間に配置されており、前記第２の領域は、前記第１の領域の周期構造の位相に対してほぼ＋９０度異なる位相の周期構造を備え、前記第３の領域は、前記第１の領域の周期構造の位相に対してほぼ−９０度異なる位相の周期構造を備えている。
【手続補正４】
【補正対象書類名】明細書
【補正対象項目名】００６８
【補正方法】変更
【補正の内容】
【００６８】
なお前記サーボ信号生成回路７４及び情報信号再生回路７５で得られた信号の一部はコントロール回路７０に送られる。このコントロール回路７０には、レーザ点灯回路７６やアクセス制御回路７２、スピンドルモータ駆動回路７１など接続されており、それぞれ光ピックアップ６０内の半導体レーザ発光光量の制御、アクセス方向および位置の制御、光ディスク１０を回転させるスピンドルモータ７７の回転制御等が行われる。また、コントロール回路７０の内部には前記サーボ信号生成回路７４及び情報信号再生回路７５で得られた信号から光ディスクの種類を判別するディスク判別回路(図示せず。）が設けられており、その判別結果から例えばサーボ信号生成回路７４の内部に備えられたＤＰＰ信号生成回路(図示せず。）のサブプッシュプル信号(＝サブ光スポットから得られたプッシュプル信号)の増幅ゲイン(前記Ｋ２に相当)等を自動的にコントロールできるようになっている。
以上のような実施例によれば、トラックピッチが異なる複数種類の光ディスクの記録、再生において、対物レンズの変位に伴うトラッキングエラー信号の振幅劣化や残留するオフトラック量が良好に改善された実用的なトラッキングエラー信号を検出できるので、高汎用性、高信頼性を備えた光ピックアップやそれを用いた光学的情報記録または再生装置を実現することができる。
また、以上のような実施例によれば、前記したようなインラインＤＰＰ方式の利点を保持したままインラインＤＰＰ方式における最大の問題点であるトラッキングエラー信号視野特性劣化の問題を改善し、ディスクのトラックピッチの違いや対物レンズのトラッキング方向変位への依存が少なく、トラックピッチが異なる複数種類の光ディスクに対して常にトラッキングオフセットが良好に除去された実用的なトラッキングエラー信号を検出することができる新しいトラッキングエラー信号検出手段を用いた光ピックアップあるいは光学的情報記録または再生装置を提供することができる。
【手続補正５】
【補正対象書類名】明細書
【補正対象項目名】００６９
【補正方法】変更
【補正の内容】
【0069】
【発明の効果】
以上述べたように、本発明によれば、高汎用性、高信頼性を備えた光ピックアップやそれを用いた光学的情報再生装置を実現することができる。